(57)【要約】【課題】  従来の指サックによる煩わしさや蒸れ等の不快感を解消して、サイズ、形状の違うほとんどの筆記用具に装着可能なページめくり用ゴムリングを作成する。【解決手段】書類をめくる際に使用する筆記用具に着脱自在に装着するページめくり用ゴムリングにおいて、弾力性摩擦抵抗性のあるシリコンゴム等のゴム材をリング状にしたリング本体の外側に弾力性のこぶ状の突起３を設け、リング本体の横幅は、前記こぶ状の突起３から離れるに従い狭く形成する。この場合、前記リング本体の内側に凹凸部４や開口部６を設けてもよい。【選択図】  図４
2008114581.tif 000002
【特許請求の範囲】
【請求項１】
書類をめくる際に使用する筆記用具に着脱自在に装着するページめくり用ゴムリングにおいて、弾力性摩擦抵抗性のあるシリコンゴム等のゴム材をリング状にしたリング本体の外側に弾力性のこぶ状の突起を設け、リング本体の横幅は、前記こぶ状の突起から離れるに従い狭く形成したことを特徴とするページめくり用ゴムリング。
【請求項２】
前記リング本体内面に凹凸部を設けたことを特徴とする請求項１記載のページめくり用ゴムリング。
【請求項３】
前記リング本体に開口部を設けたことを特徴とする請求項１記載のページめくり用ゴムリング。
【発明の詳細な説明】
【技術分野】
【０００１】
本発明は、筆記用具に装着して書類等をめくる際に使用するページめくり用ゴムリングに関する。
【背景技術】
【０００２】
書類等をめくるために指を舐めたり、水を含ませたスポンジ等に指を濡らしたりしてページをめくっていたが、指を舐めて書類をめくることは、周囲に不潔な印象を与え、水を含ませたスポンジ等に指を濡らすと紙面を汚す恐れがあった。これに代えて、指先にサックをはめてページをめくっていたが、書類をめくるたびに、指サックをはめたりはずしたりするので、煩わしくまた長時間はめていると、指が蒸れたりの不快感があった。さらには指の太さも個人差があり、ある程度までは対応できるが対応可能範囲が限られており、爪を伸ばしたりネイルアートの装飾品により装着が困難であった。例えば、特許文献１は、バンド体を指に巻きつける帳簿めくり具であるが、剥離紙を剥がして指に巻きつけるため装着が煩わしく指に不快感があり、事務作業において、書類を書いたりめくったり整理したりなどの様々な作業を連続して行う場合、指に巻きつけたバンド体がじゃまになるという問題点がある。
【０００３】
上記問題点を解消するために、特許文献２のように、筆記用具本体にゴムリングをつけ、ゴムリングに外面の溝や内面の溝と突起を設けるぺージめくり用ゴムリングが提案されており、また、特許文献３のように、円筒状の一端を閉止し他端に袋状の天然ゴム等よりなり小突起を設けた帳票めくり具が提案されている。
【０００４】
【特許文献１】実用新案登録第３１２５３５４号公報
【特許文献２】特開２００４−３４５３３５号公報
【特許文献３】特開２０００−２５５１８４号公報
【発明の開示】
【発明が解決しようとする課題】
【０００５】
しかし、特許文献２のようなぺージめくり用ゴムリングは、厚みが薄く突起が小さいので指腹部のような弾力性がないため紙面への接着面が小さく、紙がめくりにくく、またペン先部に取り付けるため紙面を汚すという問題点がある。
【０００６】
また、特許文献３の帳票めくり具は円筒状の上端を閉止した構造のため、クリップ付きの筆記用具やノック式の筆記用具に装着した場合クリップやノック式の機能を損なうなど、様々な形状やサイズの筆記用具に対応できずまた、装着しにくいという問題点がある。
【課題を解決するための手段】
【０００７】
書類をめくる際に使用する本発明のページめくり用ゴムリングは、筆記用具に着脱自在に装着するページめくり用ゴムリングで、弾力性摩擦抵抗性のあるシリコンゴム等のゴム材をリング状にしたリング本体の外側に弾力性のこぶ状の突起を設け、リング本体の横幅は、前記こぶ状の突起から離れるに従い狭く形成したことを特徴とする。
【０００８】
また、前記リング本体内面に凹凸部を設けたことを特徴とする。
【０００９】
また、前記リング本体に開口部を設けたことを特徴とする。
【発明の効果】
【００１０】
本発明は、書類をめくる際に使用する筆記用具に着脱自在に装着するページめくり用ゴムリングを弾力性摩擦抵抗性のあるシリコンゴム等のゴム材をリング状にしたリング本体の外側に弾力性のこぶ状の突起を設け、リング本体の横幅は、前記こぶ状の突起から離れるに従い狭く形成することにより、筆記用具に装着が容易になる。
【００１１】
また、前記リング本体内面に凹凸部を設けることで、さらに筆記用具に装着してページめくりとして使用時にずれにくくすることもできる。
【００１２】
また、前記リング本体に開口部を設けることにより、さらに伸縮性が増しサイズや形状の違う筆記用具にも装着しやすくなる。
【発明を実施するための最良の形態】
【００１３】
本発明のページめくり用ゴムリングは筆記用具に装着して特許文献２や特許文献３と同様な方法でページめくりとして使用するが、様々な筆記用具に対して装着性がよく、以下、図に基づいて説明する。
【００１４】
図１および図２に示すようなクリップ付き筆記用具では、クリップ付き筆記用具本体１のクリップ５のある端部（上部側）に装着する際、ページめくり用ゴムリング２のリング本体は弾力性摩擦抵抗性のあるシリコンゴム等の材質で形成されている。前記リング本体の横幅はこぶ状突起３から離れるに従い狭く形成されているので、リング本体の径が大きくなるように伸びて装着しやすくしかもクリップ機能を損なわず、ペン先のある端部（下部側）に前記ページめくり用ゴムリング２を装着することもでき、リング状にすることで筆記用具本体１の上下どの位置にも装着でき、様々なサイズ形状の筆記用具にも装着できる。同様に、図３のような外形が六角形の鉛筆を筆記用具とした場合では、筆記用具本体１’の上部に前記ページめくり用ゴムリング２を装着する際にも、リング本体の横幅はこぶ状突起３から離れるに従い狭く形成されているので、リング本体の径が大きくなるように伸びて装着しやすくこぶ状突起３があることで転がり防止にもなる。
【００１５】
次に、前記ページめくり用ゴムリング２について図面に基づいて以下、説明する。
【００１６】
図４〜図６は本発明の第１実施例を示し、ページめくり用ゴムリング２は、弾力性摩擦抵抗性のあるシリコンゴム等のゴム材でできたリング本体と前記リング本体の外側の一箇所にこぶ状の突起３を一体に成形して設けてある。前記リング本体の横幅をこぶ状突起３から離れるに従い狭く形成するとともに前記リング本体の内面に小さな突起や溝などでできた凹凸部４を設けている。このように凹凸部４によりページめくり用ゴムリング２を筆記用具に装着してページめくりをする際に、ページめくり用ゴムリング２が筆記用具に固定が確実になり、ずれにくくすることもできる。
【００１７】
図７は本発明の第２実施例を示し、ページめくり用ゴムリング２’は弾力性摩擦抵抗性のあるシリコンゴム等のゴム材でできたリング本体の外側の複数箇所にこぶ状の突起３を設けてあり、こぶ状突起３の方向を気にすることなくページめくりができる。
【００１８】
図８は本発明の第３実施例を示し、ページめくり用ゴムリング２”は弾力性摩擦抵抗性のあるシリコンゴム等のゴム材でできたリング本体に複数の開口部を設けてあり、さらに伸縮性がよくなり様々なサイズや形状の筆記用具にも装着できる。
【００１９】
本発明ページめくり用ゴムリングは弾力性摩擦抵抗性のあるシリコンゴム等のゴム材を実施例として説明したが、弾力性摩擦抵抗性のある材料であればゴム材以外の材料で代用してもよい。
【図面の簡単な説明】
【００２０】
【図１】筆記用具の上部にページめくり用ゴムリングを装着した状態を示す斜視図である。
【図２】筆記用具の下部であるペン先にページめくり用ゴムリングを装着した状態を示す斜視図である。
【図３】鉛筆を筆記用具としその上部にページめくり用ゴムリングを装着した状態を示す斜視図である。
【図４】本発明の第１実施例を示す斜視図である。
【図５】本発明の第１実施例を示す正面図である。
【図６】本発明の第１実施例を示す側面図である。
【図７】本発明の第２実施例を示す斜視図である。
【図８】本発明の第３実施例を示す斜視図である。
【符号の説明】
【００２１】
１  筆記用具本体
１’ 筆記用具本体
２  ページめくり用ゴムリング
２’ ページめくり用ゴムリング
２” ページめくり用ゴムリング
３  こぶ状の突起
４  凹凸部
５  クリップ
６  開口部
【図１】
2008114581.tif 000003
【図２】
2008114581.tif 000004
【図３】
2008114581.tif 000005
【図４】
2008114581.tif 000006
【図５】
2008114581.tif 000007
【図６】
2008114581.tif 000008
【図７】
2008114581.tif 000009
【図８】
2008114581.tif 000010